(57)【要約】【課題】積み重ねられた二つのカード収容部が共通の平面上に並設される場合であってもそのＩＣカード用コネクタの占有面積をより小さくすることができること。【解決手段】メモリスティック１８用のコンタクト端子３０Ａ，３０Ｂ、および３０Ｃの固定端子部が、それぞれ、スマートメディア１４用の複数のコンタクト端子２２ａｉのうちの一部のコンタクト端子２２ａの固定端子部の相互間に、配されるもの。【選択図】        図１
2004327131.tif 000002
【特許請求の範囲】
【請求項１】
形状が互いに異なるＩＣカードがそれぞれ選択的に装着され、所定の間隔をもって端部が互いに重なり合う複数のＩＣカード収容部と、
前記複数のＩＣカード収容部のうち少なくとも二つのＩＣカード収容部にそれぞれ配され、前記ＩＣカードの電気的接続を行う第１のコンタクト端子群および第２のコンタクト端子群とを備え、
前記第２のコンタクト端子群に隣接する前記第１のコンタクト端子群における複数のコンタクト端子の固定端子部の相互間に、該第２のコンタクト端子群のうちの一部のコンタクト端子の固定端子部がそれぞれ配されることを特徴とするＩＣカード用コネクタ。
【請求項２】
前記第２のコンタクト端子群のうちの複数のコンタクト端子の固定端子部は、前記第１のコンタクト端子群における複数のコンタクト端子の配列方向に対し略直交する平行部または屈曲部を有することを特徴とする請求項１記載のＩＣカード用コネクタ。
【請求項３】
薄板状に形成される前記固定端子部の平行部または屈曲部は、該固定端子部の他の部分の幅に比べて大なる幅を有することを特徴とする請求項２記載のＩＣカード用コネクタ。
【請求項４】
前記複数のＩＣカード収容部は、所定の間隔をもって互いに重なり合うように少なくとも２段に積み重ねられることを特徴とする請求項１記載のＩＣカード用コネクタ。
【請求項５】
前記第２のコンタクト端子群により電気的に接続されるＩＣカードの横幅は、前記第１のコンタクト端子群により電気的に接続されるＩＣカードの横幅に比して小とされることを特徴とする請求項１記載のＩＣカード用コネクタ。
【請求項６】
前記第１のコンタクト端子群および第２のコンタクト端子群の各コンタクト端子の固定端子部の先端は、所定の間隔をもって一列に配置されることを特徴とする請求項１記載のＩＣカード用コネクタ。
【発明の詳細な説明】
【０００１】
【発明の属する技術分野】
本発明は、互いに形状の異なる複数のＩＣカードを選択的に装着することができるＩＣカード用コネクタに関する。
【０００２】
【従来の技術】
電子機器において、一般に、中央処理装置（ＣＰＵ）あるいはメモリ用の集積回路が内蔵されるＳＩＭ（ｓｕｂｓｃｒｉｂｅｒ  ｉｄｅｎｔｉｔｙ  ｍｏｄｕｌｅ）カード、ＭＭＣ（ｍｕｌｔｉ  ｍｅｄｉａ  ｃａｒｄ）カード（商標）、ＳＤ（ｓｅｃｕｒｅ  ｄｉｇｉｔａｌ）カード、メモリスティック（商標）、スマートメディア（商標）、マルチメディアカード（商標）などのＩＣカードをその各機器にＩＣカード用コネクタを介して装着することにより、各種の機能拡張が行なわれている。
【０００３】
また、互いに形状の異なる複数のＩＣカードを一つの電子機器内に装着するためにＩＣカード用コネクタにおいては、例えば、特許文献１および特許文献２にも示されるように、各ＩＣカードが着脱されるスロットをそれぞれ有する複数のカード収容部を共通の平面上に並設したもの、あるいは、複数のカード収容部を鉛直方向に積み重ねた状態で備えるものが提案されている。
【０００４】
カード収容部内にそれぞれ配されＩＣカードの電気的接続を行う複数のコンタクト端子は、装着される各ＩＣカードの電極部の位置および配列方向に対応して設けられている。上述のように複数のカード収容部が設けられる場合、配線基板に半田付け固定されるコンタクト端子の固定端子部は、例えば、特許文献１にも示されるように、各固定端子部の半田付け作業を容易に行うために各カード収容部ごとに、ＩＣカード用コネクタにおけるスロットが形成されるコネクタハウジングの前端側あるいは対向する後端側に振り分け配置することが提案されている。
【０００５】
【特許文献１】
特開２００１−３１３１０７号公報
【０００６】
【特許文献２】
特開２００２−１１７９２２号公報
【０００７】
【発明が解決しようとする課題】
ＩＣカード用コネクタにおけるコネクタハウジングにおいてカード収容部が４個以上設けられる場合、ＩＣカード用コネクタの低背化の要請から積み重ねられた二つのカード収容部が共通の平面上に二つ並設される構成が必然的に形成される場合がある。
【０００８】
このような場合、積み重ねられた二つのカード収容部内に配されるいずれか一方のコンタクト端子の固定端子部は、例えば、下段のカード収容部のスロットを塞ぐことを回避するためにスロットが形成されていないコネクタハウジングの後端側に振り分け配置されることとなる。
【０００９】
しかし、積み重ねられた二つのカード収容部が共通の平面上に二つ並設される場合、特に、積み重ねるカード収容部内に配される一方のＩＣカードの横幅が、隣接される二つのカード収容部のうちの下段のカード収容部内に配される他方のＩＣカードの横幅よりも大であるとき、少なくとも双方のＩＣカードの横幅を加えた幅方向の寸法が必要となる。即ち、その占有面積が大となるのでＩＣカード用コネクタの小型化の観点から好ましくない。
【００１０】
以上の問題点を考慮し、本発明は、互いに形状の異なる複数のＩＣカードを装着することができるＩＣカード用コネクタであって、積み重ねられた二つのカード収容部が共通の平面上に並設される場合であってもそのＩＣカード用コネクタの占有面積をより小さくすることができるＩＣカード用コネクタを提供することを目的とする。
【００１１】
【課題を解決するための手段】
上述の目的を達成するために、本発明に係るＩＣカード用コネクタは、形状が互いに異なるＩＣカードがそれぞれ選択的に装着され、所定の間隔をもって端部が互いに重なり合う複数のＩＣカード収容部と、複数のＩＣカード収容部のうち少なくとも二つのＩＣカード収容部にそれぞれ配され、ＩＣカードの電気的接続を行う第１のコンタクト端子群および第２のコンタクト端子群とを備え、第２のコンタクト端子群に隣接する第１のコンタクト端子群における複数のコンタクト端子の固定端子部の相互間に、第２のコンタクト端子群のうちの一部のコンタクト端子の固定端子部がそれぞれ配されることを特徴とする。
【００１２】
また、第２のコンタクト端子群のうちの複数のコンタクト端子の固定端子部は、第１のコンタクト端子群における複数のコンタクト端子の配列方向に対し略直交する平行部または屈曲部を有するものでもよい。
【００１３】
薄板状に形成される固定端子部の平行部または屈曲部は、固定端子部の他の部分の幅に比べて大なる幅を有するものでもよい。
【００１４】
複数のＩＣカード収容部は、所定の間隔をもって互いに重なり合うように少なくとも二段に積み重ねられるものでもよい。
【００１５】
第２のコンタクト端子群により電気的に接続されるＩＣカードの横幅は、第１のコンタクト端子群により電気的に接続されるＩＣカードの横幅に比して小とされるものでもよい。
【００１６】
さらに、第１のコンタクト端子群および第２のコンタクト端子群の各コンタクト端子の固定端子部の先端は、所定の間隔をもって一列に配置されてもよい。
【００１７】
【発明の実施の形態】
図２は、本発明に係るＩＣカード用コネクタの一例の外観を示す。
【００１８】
図２に示されるＩＣカード用コネクタ２は、例えば、プリンタ、携帯電話機、ＰＤＡ、カメラ等の電子機器内の配線基板上に配されるものとされる。また、ＩＣカード用コネクタ２には、後述するように、ＳＤ（ｓｅｃｕｒｅ  ｄｉｇｉｔａｌ）カード、メモリスティック（商標）、スマートメディア（商標）、ｘＤ−ＰｉｃｔｕｒｅＣａｒｄ（商標）（以下、ＸＤカードという）がそれぞれ選択的に装着可能とされる。
【００１９】
なお、ＳＤカードの代わりにマルチメディアカード（商標）が装着されてもよい。
【００２０】
ＩＣカード用コネクタ２は、例えば、樹脂で一体に成形されており、図２において、右側部および左側部をそれぞれ形成する側壁部２ＲＷおよび側壁部２ＬＷと、側壁部２ＲＷおよび側壁部２ＬＷをその上端において連結する天板部２ＴＷと、側壁部２ＲＷおよび側壁部２ＬＷを天板部２ＴＷの一端側とともに一体に連結する後壁部２ＢＷと、左側壁部２ＬＷと後壁部２ＢＷとをその下端において連結し底部を形成する底壁部２ＤＷとを含んで構成されている。
【００２１】
側壁部２ＲＷと天板部２ＴＷとにより囲まれる部分には、図１６に示されるような第１のＩＣカードとしてのスマートメディア１４が選択的に装着されるカード収容部４、および、図１３に示されるような第２のＩＣカードとしてのＸＤカード１６が選択的に装着されるカード収容部６が形成されている。スマートメディア１４の厚さは、ＸＤカード１６の厚さに比べて薄く、かつ、スマートメディア１４の横幅および縦方向の長さがそれぞれＸＤカード１６のそれらに比べて大なるものとされる。
【００２２】
カード収容部４は、図７および図８に示されるように、カード収容部６の上部に重なるように形成されている。
【００２３】
互いに連通しているカード収容部４およびカード収容部６の一端には、それぞれ、各ＩＣカードの着脱のとき、各ＩＣカードが通過するスロットが形成されている。各スロットの形状は、それぞれ、スマートメディア１４およびＸＤカード１６の断面形状に対応して形成されている。各スロットの幅方向の両端部の周縁には、それぞれ、図８および図９に示されるように、各ＩＣカードの端部に係合されＩＣカードを案内する案内溝４Ｇおよび６Ｇが形成されている。カード収容部４のスロットは、図２に示されるように、カード収容部６のスロットの端よりもその幅方向に張り出し、かつ、天板部２ＴＷにおける中央部よりさらに左側部側に張り出している。従って、カード収容部４のスロットは、後述するカード収容部８および１０の上方の位置に重なるように張り出すこととなる。
【００２４】
天板部２ＴＷにおけるカード収容部４に対応した位置には、切欠部２Ｎが形成されている。
【００２５】
カード収容部４内には、後述するように、スマートメディア１４の所定の配線基板ＰＢに対する電気的接続を行う複数のコンタクト端子２２ａｉ（ｉ＝１〜ｎ，ｎは正の整数）が配されている。薄板金属材料で作られる複数のコンタクト端子２２ａｉは、スマートメディア１４に形成される電極群に対応してスロットの幅方向に沿って配列されている。カード収容部６内には、ＸＤカード１６の所定の配線基板ＰＢに対する電気的接続を行う複数のコンタクト端子２４ａｉ（ｉ＝１〜ｎ，ｎは正の整数）が配されている。薄板金属材料で作られる複数のコンタクト端子２４ａｉは、ＸＤカード１６に形成される電極群に対応してスロットの幅方向に沿って配列されている。コンタクト端子２４ａｉは、ＸＤカード１６の電極部に接触する接点部と、配線基板ＰＢ上に半田付固定される固定端子部と、カード収容部６内の固定溝に圧入されその接点部と固定端子部とを連結する固定部とを含んで構成されている。コンタクト端子２４ａｉの固定端子部の一端は、図２に示されるように、カード収容部６のスロットの周縁から配線基板ＰＢ上に向けて延在している。また、隣接するコンタクト端子２４ａｉの固定端子部の相互間は、図９に示されるように、カード収容部６のスロットの周縁および底壁部２ＤＷの前端部にそれぞれ形成される複数の仕切片２ＳＡｉ（ｉ＝１〜ｎ，ｎは正の整数），および２ＳＢｉ（ｉ＝１〜ｎ，ｎは正の整数）の相互間に挟持されている。
【００２６】
一方、側壁部２ＬＷと天板部２ＴＷとにより囲まれる部分には、図１６に示されるような第３のＩＣカードとしてのメモリスティック１８が選択的に装着されるカード収容部１０、および、図１３に示されるような第４のＩＣカードとしてのＳＤカード２０が選択的に装着されるカード収容部８が形成されている。なお、カード収容部８には、ＳＤカード２０の代わりに、図示が省略されるマルチメディアカードが装着されてもよい。
カード収容部８および１０は、所定の厚さを有する隔壁を挟んでカード収容部６に対し離隔して並設されている。
【００２７】
メモリスティック１８の横幅は、ＳＤカード２０の横幅に比べて細く、また、メモリスティック１８の縦方向の長さがＳＤカード２０のそれに比べて大なるものとされる。
【００２８】
従って、カード収容部１０は、図７および図８に示されるように、カード収容部８の上部に重なるように形成され、また、カード収容部１０の一端がカード収容部８の一端の位置よりも後壁部２ＢＷ側に向ってさらに延在している。
【００２９】
互いに連通しているカード収容部１０およびカード収容部８の一端には、それぞれ、各ＩＣカードの着脱のとき、各ＩＣカードが通過するスロットが形成されている。カード収容部１０のスロットの配線基板ＰＢの表面に対する高さ位置は、カード収容部４および６のスロットの位置に比べて低く設定されている。各スロットの形状は、それぞれ、メモリスティック１８およびＳＤカード２０の断面形状に対応して形成されている。各スロットの幅方向の両端部の周縁には、それぞれ、図８および図９に示されるように、各ＩＣカードに係合されＩＣカードを案内する案内溝１０Ｇおよび８Ｇが形成されている。
【００３０】
天板部２ＴＷにおけるカード収容部１０に対応した位置には、切欠部２Ｍが形成されている。
【００３１】
カード収容部１０内には、後述するように、メモリスティック１８の所定の配線基板ＰＢに対する電気的接続を行う複数のコンタクト端子３０ａｉ（ｉ＝１〜ｎ，ｎは正の整数）が配されている。薄板金属材料で作られる複数のコンタクト端子３０ａｉは、メモリスティック１８に形成される電極群に対応してスロットの幅方向に沿って配列されている。カード収容部８内には、ＳＤカード２０の所定の配線基板ＰＢに対する電気的接続を行う複数のコンタクト端子３２ａｉ（ｉ＝１〜ｎ，ｎは正の整数）が配されている。薄板金属材料で作られる複数のコンタクト端子３２ａｉは、ＳＤカード２０に形成される電極群に対応してスロットの幅方向に沿って配列されている。コンタクト端子３２ａｉは、ＳＤカード２０の電極部に接触する接点部と、配線基板ＰＢ上に半田付固定される固定端子部と、カード収容部８内の固定溝に圧入されその接点部と固定端子部とを連結する固定部とを含んで構成されている。コンタクト端子３２ａｉの固定端子部の一端は、図２および図９に示されるように、カード収容部８のスロットの周縁から配線基板ＰＢ上に向けて延在している。
【００３２】
また、図２および図３において示されるように、天板部２ＴＷには、側壁部２ＲＷと天板部２ＴＷとに沿って屈曲されたライトプロテクト検出スイッチ３４が設けられている。ライトプロテクト検出スイッチ３４は、装着されるスマートメディア１４におけるデータ誤消去防止用のライトプロテクトシールの有無を検出するものとされる。従って、スマートメディア１４が装着されるとき、ライトプロテクト検出スイッチ３４は、ライトプロテクトシールの有無をあらわす検出信号を配線基板ＰＢに対し送出するものとされる。さらに、図１および図３に示されるように、側壁部２ＬＷの開口部２Ｈに対向する位置には、装着されるＳＤカード２０の有無およびＳＤカード２０のライトプロテクト釦の位置を検出する認識／ライトプロテクトスイッチ１２が設けられている。従って、ＳＤカード２０が装着されるとき、認識／ライトプロテクトスイッチ１２は、ＳＤカード２０の有無およびライトプロテクト釦の位置をあらわす検出信号を配線基板ＰＢに対し送出するものとされる。
【００３３】
底壁部２ＤＷには、ＩＣカード用コネクタ２の配線基板ＰＢに対する相対位置を位置決めする位置決めピンが２箇所に設けられている。
【００３４】
後壁部２ＢＷの上部には、図１、図４、図５および図６に示されるように、複数の孔２Ｂｉ（ｉ＝１〜ｎ，ｎは正の整数）が、コンタクト端子２２ａｉの配列方向に沿って所定の間隔で形成されている。その孔２Ｂｉを通じて上述したカード収容部４内に均等な相互間隔で配される複数のコンタクト端子２２ａｉの固定端子部が、それぞれ外部に向けて突出している。それらの固定端子部の一端は、それぞれ、屈曲され配線基板ＰＢ上に半田付固定されている。また、後壁部２ＢＷにおける孔２Ｂｉの下方となる位置には、図４および図１０に示されるように、隣接するコンタクト端子２２ａｉの固定端子部の相互間を仕切るとともにコンタクト端子２２ａｉの固定端子部の中間部分を挟持する係止片２Ｋｉ（ｉ＝１〜ｎ，ｎは正の整数）が所定の間隔で形成されている。図４において、係止片２Ｋｉのうち最も左端の係止片２Ｋｉは、後壁部２ＢＷに設けられる突起部２Ｆと協働してスマートメディア１４の有無を検出するカード認識スイッチ３６を挟持している。一方、係止片２Ｋｉのうち最も右端から４番目までの係止片２Ｋａの長さは、それぞれ、図１０に拡大されて示されるように、それら以外の係止片２Ｋｉの長さに比して短く設定されている。
【００３５】
その係止片２Ｋａに対し下方となる位置には、複数の孔２Ｃｉ（ｉ＝１〜ｎ，ｎは正の整数）が、コンタクト端子３０ａｉの配列方向に沿って所定の間隔で一列に形成されている。その孔２Ｃｉを通じてカード収容部１０内に均等な相互間隔で配される複数のコンタクト端子３０ａｉの固定端子部がそれぞれ外部に向けて突出している。図１０において、複数の孔２Ｃｉのうち最も左端の孔２Ｃｉ、および左端から２番目の孔２Ｃｉは、係止片２Ｋａの相互間に形成されている。各孔２Ｃｉからそれぞれ突出するコンタクト端子３０ａｉの固定端子部の一端は、それぞれ、真下に向けて屈曲され配線基板ＰＢ上に半田付固定されている。その固定端子部の下部は、後壁部２ＢＷの外面において固定端子相互間に設けられる各係止部４２により挟持されている。
【００３６】
その際、複数のコンタクト端子３０ａｉのうち上述した左端の孔２Ｃｉに対応するコンタクト端子３０Ｃの固定端子部は、他のコンタクト端子３０ａｉの固定端子部の直線的な形状とは異なり、図１０に示されるように、配線基板ＰＢの表面に対し略平行に所定の長さだけ形成される平行部３０ｐｃを中間部に有している。平行部３０ｐｃの幅は他の部分の幅よりも大とされているので固定端子部の剛性が高められることとなる。従って、半田付作業のとき、固定端子部が不所望に折れ曲がる虞がない。
【００３７】
薄板金属材料で作られるコンタクト端子３０Ｃの固定端子部の一端は、図１０に示されるように、その平行部３０ｐｃの一端から真下に向けて屈曲され、最も右端のコンタクト端子２２ａｉから数えて４番目のコンタクト端子２２ａｉの固定端子部と、隣接する５番目のコンタクト端子２２ａｉの固定端子部との間の位置となるようにオフセットされて配線基板ＰＢ上に半田付固定されている。
【００３８】
また、図１０において、コンタクト端子３０Ｃに対し右側に隣接するコンタクト端子３０Ｂは、コンタクト端子３０Ｃの平行部３０ｐｃに比して短い、同様な平行部３０ｐｂを中間部に有している。平行部３０ｐｂの幅は、他の部分の幅よりも大とされているので固定端子部の剛性が高められることとなる。
【００３９】
薄板金属材料で作られるコンタクト端子３０Ｂの固定端子部の一端は、図１０に示されるように、その平行部３０ｐｂの一端から真下に向けて屈曲され、最も右端のコンタクト端子２２ａｉから数えて２番目のコンタクト端子２２ａｉの固定端子部と、隣接する３番目のコンタクト端子２２ａｉの固定端子部との間の位置となるようにオフセットされて配線基板ＰＢ上に半田付固定されている。
【００４０】
さらに、図１０において、コンタクト端子３０Ｂに対し右側に隣接するコンタクト端子３０Ａは、屈曲部３０ｐａを中間部に有している。薄板金属材料で作られるコンタクト端子３０Ａの固定端子部の一端は、図１０および図１１に示されるように、その屈曲部３０ｐａの一端から真下に向けて屈曲され、最も右端のコンタクト端子２２ａｉの固定端子部と、隣接するコンタクト端子３０ａｉの固定端子部との間の位置となるようにオフセットされて配線基板ＰＢ上に半田付固定されている。
【００４１】
即ち、コンタクト端子３０Ａ，３０Ｂ，および３０Ｃの固定端子部相互間距離は、他のコンタクト端子２２ａｉの固定端子部相互間距離に比して大となる。
また、コンタクト端子３０Ａ，３０Ｂ，および３０Ｃの固定端子部は、図１２に示されるように、後壁部２ＢＷの外面とコンタクト端子２２ａｉの固定端子部との間の位置に配されることとなる。さらに、コンタクト端子３０Ａの固定端子部の先端は、コンタクト端子２２ａｉの固定端子部とコンタクト端子３０ａｉの固定端子部との間に配され、コンタクト端子３０Ｂおよび３０Ｃの固定端子部の先端は、それぞれ、隣接するコンタクト端子２２ａｉ相互間に一列となるように配されるので半田付作業を容易に行うことが可能となる。
【００４２】
コンタクト端子３０Ａ，３０Ｂ，および３０Ｃの固定端子部における平行部および屈曲部より先端側となる一端は、後壁部２ＢＷの外面に設けられる各係止部４０により挟持されている。
【００４３】
従って、後壁部２ＲＷにおいて、カード収容部４における複数のコンタクト端子２２ａｉの一部のコンタクト端子２２ａｉが、カード収容部１０におけるコンタクト端子３０Ａ，３０Ｂ，および３０Ｃの相互間に配置されることにより、カード収容部４およびカード収容部１０が、所定の間隔をもってより互いに近接させて形成することが可能となる。その結果、複数の形状の異なるＩＣカードを収容するＩＣカード用コネクタ２の配線基板ＰＢ上の占有面積をより小さくすることが図られることとなる。
【００４４】
斯かる構成において、図１３、１４、および図１５に示されるように、例えば、ＸＤカード１６およびＳＤカード２０が選択され装着される場合、ＸＤカード１６が、図１３の矢印の示す方向に沿ってスロットを通じてカード収容部６内に挿入され、また、ＳＤカード２０がスロットを通じてカード収容部８内に挿入されることとなる。その際、ＸＤカード１６およびＳＤカード２０の一端は、その着脱を容易にするために外部に突出している。なお、図１３，１４、および図１５は、それぞれ、ＸＤカード１６およびＳＤカード２０が装着された状態を示す。
【００４５】
一方、図１６、１７および図１８に示されるように、スマートメディア１４およびメモリスティック１８が選択され装着される場合、スマートメディア１４が図１６の矢印の示す方向に沿ってスロットを通じてカード収容部４内に挿入され、また、メモリスティック１８がスロットを通じてカード収容部１０内に挿入されることとなる。その際、スマートメディア１４およびメモリスティック１８の一端も、その着脱を容易にするために外部に突出している。なお、図１６、１７および図１８は、スマートメディア１４およびメモリスティック１８が装着された状態を示す。
【００４６】
【発明の効果】
以上の説明から明らかなように、本発明に係るＩＣカード用コネクタによれば、形状が互いに異なるＩＣカードがそれぞれ選択的に装着され、所定の間隔をもって端部が互いに重なり合う複数のＩＣカード収容部が設けられるもとで、第２のコンタクト端子群に隣接する第１のコンタクト端子群における複数のコンタクト端子の固定端子部の相互間に、第２のコンタクト端子群のうちの一部のコンタクト端子の固定端子部がそれぞれ配されるので積み重ねられた二つのカード収容部が共通の平面上に並設される場合であってもそのＩＣカード用コネクタの占有面積をより小さくすることができることとなる。
【図面の簡単な説明】
【図１】本発明に係るＩＣカード用コネクタの一例の外観を示す斜視図である。
【図２】図１に示される例において正面側から見た斜視図である。
【図３】図１に示される例における平面図である。
【図４】図１に示される例における背面図である。
【図５】図１に示される例における右側面図である。
【図６】図１に示される例における左側面図である。
【図７】図１に示される例における正面図である。
【図８】図７におけるＶＩＩＩ−ＶＩＩＩ線に沿って示す断面図である。
【図９】図１に示される例においてＩＣカードが装着された状態を示す断面図である。
【図１０】図４において一部を部分的に拡大して示す背面図である。
【図１１】図３において一部を部分的に拡大して示す平面図である。
【図１２】図５において一部を部分的に拡大して示す右側面図である。
【図１３】図１に示される例において複数のＩＣカードが装着された状態を示す斜視図である。
【図１４】図１３におけるＸＩＶ−ＸＩＶ線に沿って示される断面図である。
【図１５】図１３におけるＸＶ−ＸＶ線に沿って示される断面図である。
【図１６】図１に示される例において複数のＩＣカードが装着された状態を示す斜視図である。
【図１７】図１６におけるＸＶＩＩ−ＸＶＩＩ線に沿って示される断面図である。
【図１８】図１６におけるＸＶＩＩＩ−ＸＶＩＩＩ線に沿って示される断面図である。
【符号の説明】
４    カード収容部
６    カード収容部
８    カード収容部
１０    カード収容部
１４    スマートメディア
１６    ＸＤカード
１８    メモリスティック
２０    ＳＤカード
２２ａｉ、３０Ａ、３０Ｂ、３０Ｃ    コンタクト端子
３０ｐａ    屈曲部
３０ｐｃ    平行部
３０ｐｂ    平行部
ＰＢ    配線基板
【図１】
2004327131.tif 000003
【図２】
2004327131.tif 000004
【図３】
2004327131.tif 000005
【図４】
2004327131.tif 000006
【図５】
2004327131.tif 000007
【図６】
2004327131.tif 000008
【図７】
2004327131.tif 000009
【図８】
2004327131.tif 000010
【図９】
2004327131.tif 000011
【図１０】
2004327131.tif 000012
【図１１】
2004327131.tif 000013
【図１２】
2004327131.tif 000014
【図１３】
2004327131.tif 000015
【図１４】
2004327131.tif 000016
【図１５】
2004327131.tif 000017
【図１６】
2004327131.tif 000018
【図１７】
2004327131.tif 000019
【図１８】
2004327131.tif 000020